(57)【要約】【課題】テストプリントの高濃度領域においても、その濃度情報を的確に取得できるようにする。【解決手段】写真感光材料上に画素ドット単位で光を照射可能な露光ヘッドにて画像を露光形成する写真用露光装置を較正するために作製されたテストプリントの画像の濃度を、光反射式の濃度測定装置にて測定するテストプリントの濃度測定方法において、前記テストプリントの作製時において、高露光量の画素ドットと、無露光あるいは低露光量の画素ドットとが隣接するように露光形成し、前記高露光量の画素ドットと、前記無露光あるいは前記低露光量の画素ドットとを同時に含むように設定され、その濃度測定装置の測定結果に基づいて、前記高露光量の画素ドットの濃度に対応する測定値を求める。【選択図】        図１
2004249569.tif 000002
【特許請求の範囲】
【請求項１】
写真感光材料上に画素ドット単位で光を照射可能な露光ヘッドにて画像を露光形成する写真用露光装置を較正するために作製されたテストプリントの画像の濃度を、光反射式の濃度測定装置にて測定するテストプリントの濃度測定方法であって、
前記テストプリントの作製時において、高露光量の画素ドットと、無露光あるいは低露光量の画素ドットとが隣接するように露光形成し、
前記濃度測定装置の測定対象エリアが、前記高露光量の画素ドットと、前記無露光あるいは前記低露光量の画素ドットとを同時に含むように設定され、
その濃度測定装置の測定結果に基づいて、前記高露光量の画素ドットの濃度に対応する測定値を求めるテストプリントの濃度測定方法。
【請求項２】
前記高露光量の画素ドットと、前記無露光あるいは前記低露光量の画素ドットとが、１つあるいは複数の画素ドットを１単位として縦横に交互に配置されるように露光形成して、前記テストプリントを作製する請求項１記載のテストプリントの濃度測定方法。
【請求項３】
前記露光ヘッドが、レーザビーム露光式の露光ヘッドにて構成されている請求項１又は２記載のテストプリントの濃度測定方法。
【発明の詳細な説明】
【０００１】
【発明の属する技術分野】
本発明は、写真感光材料上に画素ドット単位で光を照射可能な露光ヘッドにて画像を露光形成する写真用露光装置を較正するために作製されたテストプリントの画像の濃度を、光反射式の濃度測定装置にて測定するテストプリントの濃度測定方法に関する。
【０００２】
【従来の技術】
写真用露光装置では、一般的に、写真フィルムの駒画像を読取って得られた画像データやデジタルカメラによって撮影された画像データ等の種々の画像ソースに基づいて写真感光材料上に画像を露光形成する場合に、元の画像データが正しく反映されて露光画像が形成されるように較正される必要がある。
この較正作業の一環として、下記特許文献１に記載のように、従来から、所定の露光パターンを有するテストプリントを作製し、そのテストプリントの画像の濃度を光反射式の濃度測定装置にて測定することがよく行われている。
【０００３】
又、特願２００１−３８４５９１号に記載のように、測定対象の画像に孤立画素ドットが含まれ、その孤立画素ドット自体の濃度を検出したいときは、ある程度広いエリアを測定対象エリアとする通常のデンシトメータではなく、マイクロデンシトメータにて濃度を測定することが考えられている。
【０００４】
【特許文献１】
特開２０００−１８７２８８号公報
【０００５】
【発明が解決しようとする課題】
しかしながら、上記従来構成では、写真感光材料に対する露光量が大となって、テストプリントの濃度が大となると、テストプリントからの反射光量が減少して、テストプリントの高濃度領域で正確な測定値が得られなくなる。
特に、安価な濃度測定装置では、所定の濃度測定値を超える領域では、測定結果である濃度測定値を出力しても、その濃度測定値の精度を保証しないという仕様になっている。
本発明は、かかる実情に鑑みてなされたものであって、その目的は、安価な濃度測定装置の利用を可能としながら、テストプリントの高濃度領域においても、その濃度情報を的確に取得できるようにする点にある。
【０００６】
【課題を解決するための手段】
上記請求項１記載の構成を備えることにより、写真感光材料上に画素ドット単位で光を照射可能な露光ヘッドにて画像を露光形成する写真用露光装置を較正するために作製されたテストプリントの画像の濃度を、光反射式の濃度測定装置にて測定するテストプリントの濃度測定方法において、前記テストプリントの作製時において、高露光量の画素ドットと、無露光あるいは低露光量の画素ドットとが隣接するように露光形成し、前記濃度測定装置の測定対象エリアが、前記高露光量の画素ドットと、前記無露光あるいは前記低露光量の画素ドットとを同時に含むように設定され、その濃度測定装置の測定結果に基づいて、前記高露光量の画素ドットの濃度に対応する測定値を求める。
【０００７】
すなわち、前記測定対象エリアを前記高露光量の画素ドットのみで構成すると、濃度測定装置の測定値が、濃度測定装置の仕様上で保証している濃度値を超えてしまうような高濃度の画素ドットを測定対象とする場合であっても、濃度測定装置の測定対象エリアに、前記無露光あるいは前記低露光量の画素ドットをも含めることで、テストプリントからの反射光量を大きくして、濃度測定装置が仕様上で保証している値まで濃度測定値を下げることができる。
もって、安価な濃度測定装置の利用を可能としながら、テストプリントの高濃度領域においても、その濃度情報を的確に取得できるものとなった。
【０００８】
しかも、写真感光材料に対して高露光量の画素ドットを露光形成すると、その高露光量の画素ドットから周囲の画素ドットへ色が滲み出す現象が見られる場合があり、そのような場合では、前記高露光量の画素ドットから周囲の画素ドットへの色の滲み出しの程度が、前記高露光量の画素ドットの濃度と対応している。
従って、前記無露光あるいは前記低露光量の画素ドットの部分からの反射光に、前記高露光量の画素ドットの部分の濃度情報が反映されることになり、濃度測定装置の測定精度の向上に寄与するものとなる。
【０００９】
又、上記請求項２記載の構成を備えることにより、前記高露光量の画素ドットと、前記無露光あるいは前記低露光量の画素ドットとが、１つあるいは複数の画素ドットを１単位として縦横に交互に配置されるように露光形成して、前記テストプリントを作製する。
従って、高露光量の画素ドットと無露光（あるいは低露光量）の画素ドットとが、１つの画素ドットあるいは複数の正方配置の画素ドットにより構成されるブロックを単位として千鳥配置されることになる。
このように前記高露光量の画素ドットと、前記無露光あるいは前記低露光量の画素ドットとの形成パターンを設定することで、前記高露光量の画素ドットから周囲への色の滲み出しを縦方向及び横方向でバランス良く検出することができ、より精度良く前記高露光量の画素ドット自体の濃度と対応する測定値を求めることができる。
【００１０】
又、上記請求項３記載の構成を備えることにより、前記露光ヘッドが、レーザビーム露光式の露光ヘッドにて構成されている。
すなわち、レーザビーム露光式の露光ヘッドにて前記高露光量の画素ドットを形成する場合に、前記色の滲み出しが顕著であり、このような形式の露光ヘッドを備えた写真用露光装置の較正に上記測定法を適用することが特に好適である。
【００１１】
【発明の実施の形態】
以下、本発明のテストプリントの濃度測定方法を、写真用露光装置の較正に適用する実施の形態を図面に基づいて説明する。
本実施の形態で例示する写真用露光装置ＤＰは、いわゆるデジタルミニラボ装置として知られているものであり、図６のブロック構成図に示すように、現像処理済みの写真フィルムやメモリーカード，ＭＯあるいはＣＤ−Ｒ等から写真プリントを作製するための画像データを入力する画像入力装置ＩＲと、画像入力装置ＩＲにて入力した画像データを写真感光材料ＰＳとしての印画紙２に露光処理する露光・現像装置ＥＰとから構成されている。
【００１２】
〔画像入力装置ＩＲの概略構成〕
画像入力装置ＩＲには、図６に概略的に示すように、写真フィルムの駒画像を読み取るフィルムスキャナ３と、メモリーリーダ，ＭＯドライブ及びＣＤ−Ｒドライブ等を備えた外部入出力装置４と、汎用小型コンピュータシステムにて構成されてフィルムスキャナ３や外部入出力装置４の制御のほか写真用露光装置ＤＰ全体の管理を実行する主制御装置５とが備えられ、更に、主制御装置５には、仕上がりプリント画像をシミュレートしたシミュレート画像や各種の制御用の情報を表示するモニタ５ａと、露光条件の手動設定等や制御情報の入力操作をするための操作卓５ｂと、写真用露光装置ＤＰを較正するために作製したテストプリントの濃度を読取るための光反射式の濃度測定装置５ｃとが接続されている。
濃度測定装置５ｃは、いわゆるデンシトメータとしてよく知られているものである。
【００１３】
〔露光・現像装置ＥＰの全体構成〕
露光・現像装置ＥＰは、筐体内部に、印画紙２に対して光ビームを走査することにより印画紙２上に露光画像を形成する露光ヘッド１３と、露光ヘッド１３を制御する露光制御装置１４と、露光ヘッド１３にて露光された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴとが設けられている。
図示を省略するが、露光・現像装置ＥＰの筐体外部には、現像処理装置ＰＰにて現像処理及び乾燥処理された印画紙２をオーダ毎に分類するためのソータが備えられ、このソータへ印画紙２を搬送するコンベア１０が筐体上面に備えられている。
更に、印画紙搬送系ＰＴの搬送経路の途中には、印画紙マガジン６から引き出された長尺の印画紙２を設定プリントサイズに切断するカッタ１１と、一列で搬送される印画紙２を複数の搬送列に振り分けるための振り分け装置１２が備えられている。
【００１４】
〔露光ヘッド１３の構成〕
露光ヘッド１３は、レーザを光源として印画紙２上に画像を露光するいわゆるレーザビーム露光式を採用しており、その概略構成を図５のブロック構成図に示す。
露光ヘッド１３には、赤色，緑色及び青色の単色光を夫々出射する赤色ビーム用レーザ光源装置２０ｒ，緑色ビーム用レーザ光源装置２０ｇ及び青色ビーム用レーザ光源装置２０ｂと、各レーザ光源装置２０ｒ，２０ｇ，２０ｂの出射光ビームを強度変調するための音響光学変調素子２１（以下、「ＡＯＭ素子２１」と略称する）と、各レーザ光源装置２０ｒ、２０ｇ、２０ｂから出射される光ビームＬＢのビーム径を調整するためのビームエキスパンダ２２と、シリンドリカルレンズ２３と、赤色，緑色及び青色の３本の光ビームＬＢの光軸を１本の光軸にまとめるプリズム２４と、光ビームＬＢを印画紙２上の主走査方向に走査するポリゴンミラー２５と、ｆ−θ特性と面倒れ補正機能とを有する結像レンズ群２６とが備えられる他、光ビームＬＢの光路を屈曲させるミラー２７やプリズム２４へ入射する光を規制するアパーチャ２８が配置されている。
【００１５】
〔露光制御装置１４の構成〕
露光制御装置１４には、図５に概略的に示すように、上記構成の露光ヘッド１３を制御するために、画像入力装置ＩＲから入力される画像データを露光ヘッド１３の露光特性を考慮した画像データに補正演算する画像処理回路３０と、画像処理回路３０にて求められた画像データを赤色，緑色及び青色の各色毎に記憶する画像データメモリ３１と、赤色，緑色及び青色の各色毎に備えられて画像データメモリ３１が出力するデジタル画像データをアナログ信号に変換するＤ／Ａコンバータ３２と、入力されたアナログ信号に応じてＡＯＭ素子２１へ出力する高周波信号を変調するドライバ回路３３とが備えられている。
【００１６】
〔露光動作の概要〕
次に、上記構成の露光ヘッド１３及び露光制御装置１４の動作を説明する。
画像入力装置ＩＲから入力された露光用画像データは、画像処理回路３０によって補正演算されて、露光ヘッド１３によって露光されたときに良好なプリント画像が得られる画像データに変換され、画像データメモリ３１に順次書き込まれる。
画像データメモリ３１に一旦記憶されたデータは、各画素のデータ毎に、所定のクロック信号と同期して画素単位でＤ／Ａコンバータ３２に送られ、アナログ信号に変換された後にドライバ回路３３に送られる。
【００１７】
ドライバ回路３３は、入力されたアナログ信号に応じた振幅の制御信号をＡＯＭ素子２１に出力し、ＡＯＭ素子２１は入力された信号の振幅に応じた回折率で各光源装置２０ｂ，２０ｇ，２０ｒから入射する光ビームＬＢを強度変調する。
上記のようにして変調された各光ビームＬＢは、ビームエキスパンダ２２等を通過した後にプリズム２４に入射し、赤色，緑色及び青色の３本の光ビームＬＢが１本の光ビームＬＢにまとめられ、ポリゴンミラー２５の反射面に照射される。
【００１８】
駆動モータ２５ａにて回転駆動されているポリゴンミラー２５の反射面で反射された光ビームＬＢは、ポリゴンミラー２５の回転軸芯と直交する面内で走査され、搬送移動される印画紙２上に結像レンズ群２６によって集光される。光ビームＬＢの走査方向は印画紙２の搬送方向と交差（より具体的には、直交）しており、光ビームＬＢの走査方向が主走査方向、印画紙２の搬送方向が副走査方向となる。光ビームＬＢの走査と印画紙２の搬送移動によって、印画紙２上にプリントする画像が潜像として形成される。
以上から明らかなように、露光ヘッド１３は、印画紙２上に画素ドット単位で光を照射可能に構成されている。
【００１９】
〔写真プリントの作製動作〕
次に、上記構成の写真用露光装置ＤＰによる写真プリントの作製動作を概略的に説明する。
操作者が写真フィルムの駒画像について写真プリントの作製を指示入力したときは、主制御装置５は、フィルムスキャナ３に対して写真フィルムの読み取りを指令し、フィルムスキャナ３からその写真フィルムの画像データを順次受取って、内蔵されているメモリに記録する。
一方、操作者がメモリーカード，ＭＯあるいはＣＤ−Ｒ等の記録媒体に記録された画像データについて写真プリントの作製を指示入力したときは、主制御装置５は、外部入出力装置４の該当するドライブに画像データの読み取りを指令し、そのドライブから画像データを順次受取ってメモリに記録する。
【００２０】
主制御装置５は、上記のようにして入力された画像データに基づいて、その画像データによってプリントを作製した場合に得られるであろうシミュレート画像を図示を省略する画像処理回路にて演算して求め、それをモニタ５ａに表示する。
操作者は、このモニタ５ａ上のシミュレート画像を観察して、適正な画像が得られていなければ、操作卓５ｂから露光条件の修正入力操作を行う。
主制御装置５の画像処理回路は、入力された画像データとその修正入力とに従って予め設定された演算条件で赤色、緑色、青色毎の露光用画像データを生成する。
【００２１】
この露光用画像データは、露光・現像装置ＥＰの露光制御装置１４に送られ、上述のようにして印画紙２にプリント画像の潜像が形成される。
露光ヘッド１３にて露光処理された印画紙２は、印画紙搬送系ＰＴにて現像処理装置ＰＰへ搬送されて、各現像処理タンクを順次通過することにより現像され、現像処理された印画紙２は、更に乾燥処理された後にコンベア１０上に排出され、ソータにてオーダー毎にまとめられる。
【００２２】
〔写真用露光装置ＤＰの較正作業〕
次に、上記構成の写真用露光装置ＤＰの較正作業について説明する。
この較正作業は、フィルムスキャナ３等から入力される画像データに基づいて適正な発色の写真プリントが得られるように、写真用露光装置ＤＰを較正するものであり、写真用露光装置ＤＰの工場出荷時の他に適宜のタイミングで実施される。
上記較正作業の概要について説明すると、先ず所定の濃度変化パターンを有するテストプリントを作製し、そのテストプリントの濃度を濃度測定装置５ｃにて読み取らせて、その測定結果から前記画像処理回路３０における露光用画像データの生成条件、より具体的には、高濃度領域における各露光色間の発色のバランス条件（つまり、良好に「黒」を発色させるための条件）を設定する。
【００２３】
前記テストプリントは、図３に示すように、合計で１３段階の短冊状のパターンを配列して形成され、下から順に、赤色，緑色及び青色ともに最大露光量で露光した最大濃度パターン４１と、その最大濃度パターン４１から赤色の露光量を設定量ずつ４段階で低下させた赤色用パターン４２と、前記最大濃度パターン４１から緑色の露光量を設定量ずつ４段階で低下させた緑色用パターン４３と、前記最大濃度パターン４１から青色の露光量を設定量ずつ４段階で低下させた青色用パターン４４とを有している。
【００２４】
上記１３段階の各パターンは、全画素ドットを同一露光量で露光するいわゆるベタ画像ではなく、図１に拡大図を示すように、上述のようにして露光量を設定した画素ドット（図１において模式的に黒塗りの四角Ａで示す）と無露光の画素ドット（図１において模式的に破線の四角Ｂで示す）とがいわゆる千鳥配置となっており、千鳥配置を構成するブロックは４画素ドットで構成されている。
すなわち、高露光量の画素ドットと無露光の画素ドットとが、２つの画素ドットを１単位として縦横に交互に配置され、高露光量の画素ドットと無露光画素ドットとが隣接している。
【００２５】
前記較正作業は、主制御装置５の制御によって実行され、その処理を図４のフローチャートに基づいて説明する。
図４に示す処理は、操作者が操作卓５ｂから前記較正作業の開始を指示入力すると開始される。
処理が開始されると、図１及び図３に示すテストプリントを作製するための画像データを露光制御装置１４へ送り、その画像データに基づいて印画紙２を露光させる（ステップ＃１）。
【００２６】
テストプリントのためのパターンが露光された印画紙２の現像処理が終了し、テストプリントとして排出されると、操作者は、そのテストプリントを濃度測定装置５ｃにセットし、セットが完了した旨を操作卓５ｂから指示入力する。
主制御装置５は、この指示入力を検知すると（ステップ＃２）、濃度測定装置５ｃに対して測定の開始を指示する（ステップ＃３）。
濃度測定装置５ｃは、前記テストプリントを長手方向に搬送移動させながら各パターン４１，４２，４３，４４の濃度測定値を測定し、その濃度測定値を主制御装置５へ送信する。
この光反射式の濃度測定装置５ｃは、数ｍｍ四方程度を測定対象エリアとする一般的なデンシトメータであり、この測定対象エリアには数千個程度の画素ドットが含まれることになる。従って、前記測定対象エリアには、当然に、少なくとも前記無露光の画素ドットを含み、前記高露光量の画素ドットと前記無露光の画素ドットとを同時に含む。
【００２７】
主制御装置５は、濃度測定装置５ｃから測定データを受け取ると（ステップ＃４）、その濃度測定データに基づいて、赤色，緑色及び青色間で色バランスをとって良好に黒を発色させるための値を求める（ステップ＃５）。
以下、この色バランスをとるための処理について簡単に説明する。
尚、以下の説明において、画像データは、赤色，緑色及び青色の夫々が０〜２５５の２５６階調で表現され、階調値「０」が最大露光量であるものとして説明する。
具体例として、各色の階調値を（赤色の階調値，緑色の階調値，青色の階調値）の形で表現して、最大濃度パターン４１は（０，０，０）、赤色用パターン４２は（３，０，０）〜（１２，０，０）の範囲で階調値「３」ずつ変化させ、緑色用パターン４３は（０，３，０）〜（０，１２，０）の範囲で階調値「３」ずつ変化させ、青色用パターン４４は（０，０，３）〜（０，０，１２）の範囲で階調値「３」ずつ変化させて、前記テストプリントを作製した場合を説明する。
【００２８】
濃度測定装置５ｃから入力された測定データに基づいて、図２に示すような関係が得られる。
図２では、縦軸に濃度測定装置５ｃの出力値をとり、横軸に階調値をとっている。
赤色の露光量を減少させると印画紙上ではシアンの発色が減少し、緑色の露光量を減少させると印画紙上ではマゼンタの発色が減少し、青色の露光量を減少させると印画紙上ではイエローの発色が減少するので、図２の縦軸は、赤色の露光量（階調値）の変化に対してシアンの濃度測定値（図２中において「Ｃ濃度値」として示す）を表示し、緑色の露光量（階調値）の変化に対してマゼンタの濃度測定値（図２中において「Ｍ濃度値」として示す）を表示し、青色の露光量（階調値）の変化に対してイエローの濃度測定値（図２中において「Ｙ濃度値」として示す）を表示している。
【００２９】
安価な濃度測定装置５ｃでは、通常、濃度値が「２．２」を超える領域では正確な測定値が得られず、仕様上、濃度測定値の精度が保証されていない。
従って、全画素ドットを同一露光量で露光する前記べた画像では、高濃度の領域において、階調値と濃度測定値との間で明確な対応関係がとれない場合がある。
これに対して、上述のようなパターンを有するテストプリントを作製して濃度測定を行うと、図２の測定例から明らかなように、最大露光量で形成した最大濃度パターン４１において、いずれも「２．２」より十分小さい値となっており、しかも、いずれの露光色についても階調の変化に追従して濃度測定値が大きく変化している。
すなわち、前記高露光量の画素ドットの濃度に的確に対応する測定値を求めることができるのである。
これは、前記無露光の画素ドットの存在によって反射光量が増大していることと共に、高露光量の画素ドット（黒塗りの四角Ａ）から無露光の画素ドット（破線の四角Ｂ）へ、１点鎖線Ｃで模式的に例示するような位置まで色が滲み出し、その滲み出した部分の濃度値が、高露光量の画素ドットの露光量と対応していることによるものと推定される。
【００３０】
主制御装置５は、図２に示すような測定データが得られると、最大露光量すなわち階調値（０，０，０）での各露光色の濃度値の中で、最低の濃度値とその露光色とを特定する。図２の測定例では、濃度値が「１．３２」で露光色は赤色となる。
次に、他の露光色においてこの濃度値「１．３２」に最も近い濃度値をとる階調値を探し出す。図２の測定例では、緑色の露光色については階調値「１２」であり、青色の露光色については階調値「９」である。
従って、主制御装置５は、無彩色の最も高濃度側の階調値として（０，１２，９）を画像処理回路３０にセットする（ステップ＃６）。
これによって画像処理回路３０は、露光用画像データの演算に使用する無彩色の色再現条件を修正する。
【００３１】
〔別実施形態〕
以下、本発明の別実施形態を列記する。
（１）上記実施の形態では、テストプリントを合計１３段階で各色の露光量を変化させて作製する場合を例示しているが、更に細かく段階設定をしても良いし、各パターンの並び状態も適宜変更可能である。
（２）上記実施の形態では、２つの画素ドットを１単位として縦横に交互に配置することで、千鳥配置を形成しているが、１つの画素ドットあるいは３つ以上の画素ドットを１単位として縦横に交互に配置して千鳥配置を形成しても良い。
【００３２】
（３）上記実施の形態では、高露光量の画素ドットと無露光の画素ドットを隣接させる構成としているが、高露光量の画素ドットからの色の滲み出しを的確に検出できる範囲において、上記実施の形態における無露光の画素ドットを低露光量の画素ドットに置き換えても良い。
（４）上記実施の形態では、上記構成のテストプリントを作製して、その濃度測定結果を各露光色間の色バランスの調整にのみ使用しているが、高露光量の画素ドットの濃度の絶対値を求めるようにしても良い。
そのためには、例えば、多段階の階調の濃度測定データを集積すると共に、高濃度領域側のダイナミックレンジの広い他の濃度測定手段の濃度測定結果と対比して、上記構成のテストプリントでの測定値を高露光量の画素ドットの濃度の絶対値に変換する換算値を予め求めておけば良い。
【００３３】
（５）上記実施の形態では、テストプリントを作製するについて、高露光量の画素ドットのブロックと無露光（あるいは低露光量）の画素ドットのブロックとが千鳥配置としているが、例えば、高露光量の画素ドットのみからなる行と無露光（あるいは低露光量）の画素ドットのみからなる行とを交互に配置して、高露光量の画素ドットと無露光（あるいは低露光量）の画素ドットとを隣接させる等、高露光量の画素ドットと無露光（あるいは低露光量）の画素ドットとを隣接させるための画素ドットの配置パターンは種々変更可能である。
【００３４】
（６）上記実施の形態では、露光ヘッド１３としてレーザビーム露光式の露光ヘッド１３を例示しているが、例えばＰＬＺＴ光スイッチアレイを備えた露光ヘッド等、画素ドット単位で露光可能であれば各種の形式の露光ヘッドを使用する場合に本発明を適用できる。
【００３５】
【発明の効果】
上記請求項１記載の構成によれば、前記測定対象エリアを前記高露光量の画素ドットのみで構成すると、濃度測定装置の測定値が、濃度測定装置の仕様上で保証している濃度値を超えてしまうような高濃度の画素ドットを測定対象とする場合であっても、濃度測定装置の測定対象エリアに、前記無露光あるいは前記低露光量の画素ドットをも含めることで、テストプリントからの反射光量を大きくして、濃度測定装置が仕様上で保証している値まで濃度測定値を下げることができる。
もって、安価な濃度測定装置の利用を可能としながら、テストプリントの高濃度領域においても、その濃度情報を的確に取得できるものとなった。
【００３６】
しかも、写真感光材料に対して高露光量の画素ドットを露光形成すると、その高露光量の画素ドットから周囲の画素ドットへ色が滲み出す現象が見られる場合があり、そのような場合では、前記高露光量の画素ドットから周囲の画素ドットへの色の滲み出しの程度が、前記高露光量の画素ドットの濃度と対応している。
従って、前記無露光あるいは前記低露光量の画素ドットの部分からの反射光に、前記高露光量の画素ドットの部分の濃度情報が反映されることになり、濃度測定装置の測定精度の向上に寄与するものとなる。
【００３７】
又、上記請求項２記載の構成によれば、前記高露光量の画素ドットから周囲への色の滲み出しを縦方向及び横方向でバランス良く検出することができ、より精度良く前記高露光量の画素ドット自体の濃度と対応する測定値を求めることができる。
又、上記請求項３記載の構成によれば、前記色の滲み出しが顕著であるレーザビーム露光式の露光ヘッドを備えた写真用露光装置の較正に上記測定法を適用することで、装置の較正をより的確に行えるものとなる。
【図面の簡単な説明】
【図１】本発明の実施の形態にかかるテストプリントの画素ドット配列を示す図
【図２】本発明の実施の形態にかかるテストプリントの濃度測定例を示す図
【図３】本発明の実施の形態にかかるテストプリントを示す図
【図４】本発明の実施の形態にかかるフローチャート
【図５】本発明の実施の形態にかかる露光ヘッドの概略構成図
【図６】本発明の実施の形態にかかる写真用露光装置のブロック構成図
【符号の説明】
ＰＳ  写真感光材料
５ｃ  濃度測定装置
１３  露光ヘッド
【図１】
2004249569.tif 000003
【図２】
2004249569.tif 000004
【図３】
2004249569.tif 000005
【図４】
2004249569.tif 000006
【図５】
2004249569.tif 000007
【図６】
2004249569.tif 000008